(57)【要約】      （修正有）【課題】納骨室を閉塞する蓋体となる石板の移動を安全かつ容易に行うことができる霊廟の納骨室構造を提供する。【解決手段】墓碑１が載置される墓碑定盤２の前面に、納骨のための略コ字状に切り取られた矩形の入り口を形成し、納骨室５の内部空間へと連通させる。墓碑定盤２下部左右側面に納骨室天板３を載置するサドル２ｂを設ける。このサドル２ｂにスライドレール機構を固着する。スライドレール機構にアルミニウム製のスライドレール取付枠４を介して納骨室天板３を摺動可能に載置する。【選択図】図３
0003225121.tif 000002
【実用新案登録請求の範囲】
【請求項１】
霊廟に設けられた納骨室の開口を開閉する蓋石を兼ねた納骨室天板をスライドレール機構を介して摺動自在に設けたことを特徴とする霊廟の納骨室構造。
【請求項２】
納骨室天板に凹部を形成し、この凹部内に嵌合可能なアルミニウム製の取付け枠を備えたスライドレール機構を装着したことを特徴とする請求項１記載の霊廟の納骨室構造。
【請求項３】
スライドレール機構は、墓碑定盤側に固着される固定レールと納骨室天板側に固着される可動レールの少なくとも一対からなることを特徴とする請求項１又は請求項２記載の霊廟の納骨室構造。
【考案の詳細な説明】
【技術分野】
【０００１】
本考案は、霊廟納骨室内の構造に関し、とくに納骨を簡便に行うための納骨室のスライド式天板構造に関するものである。
【背景技術】
【０００２】
一般的に霊廟の納骨室（「カロト」と呼ばれている）は地下又は半地下となっている。通常、納骨室の内部はその周囲を地中とコンクリート材や石材によって隔てられている。
【０００３】
納骨室内は納骨時や改修工事等以外は覗き見られることもなく、納骨後は密閉され暗渠となってしまう。このため、遺族など墓参する者は、物故者の居所に閉塞感を感じて精神的な安堵感が得られないという問題があった。
【０００４】
そこで、従来の納骨室の抱える改善策として、例えば、納骨室の出入口扉に透明厚板ガラスを使用したもの（特許文献１参照）や、納骨堂を構成するコンクリートや石材に穴開け加工し、窓体となるガラス製品を組み込み太陽光を取り入れるようにしたもの（特許文献２）等が提案されている。
本考案者もまた上記のような課題に鑑み、納骨室内部は、暗い、汚い、臭いという印象を払拭させ、物故者も日差しが差し込む清潔な場所で、風の通る快適な環境に居させてやりたいという遺族の心情に配慮して、納骨室への採光及び換気を何時でも必要に応じて行うことができるばかりでなく、霊廟の美観を高め、既設の霊廟にも取り付けることができ、施主の物故者を慈しむ心情を表現できる納骨室の扉を提供することを目的とする納骨室の扉を提案している（特許文献３参照）。
【０００５】
一方、従来の霊廟における納骨作業は、納骨室を閉塞している重い石板を取り外して開口しなければならず、石板のサイズや取り付け状態によっては、開口が困難な場合がある。また、作業時におけるケガや石材の損傷等も懸念され、取り外した石板を仮置きする場所も必要になる。
【０００６】
そこで、納骨室の入口を閉塞する石材をスライドレールで移動可能にした墓石の納骨構造が提案されている（例えば、特許文献４及び５参照。）。
【先行技術文献】
【特許文献】
【０００７】
【特許文献１】特開平１０−８８８６６号公報
【特許文献２】特開２００２−１０６２０９号公報
【特許文献３】特許第４３６２８３３号公報
【特許文献４】実用新案登録第３２０７７４２号公報
【特許文献５】実用新案登録第３２２１１１３号公報
【考案の概要】
【考案が解決しようとする課題】
【０００８】
本考案もまた、上記従来技術の課題に鑑み、納骨室を閉塞する蓋体となる石板の移動を安全かつ容易に行うことができる霊廟の納骨室構造を提供することを目的とする。
【課題を解決するための手段】
【０００９】
そこで、本考案の霊廟の納骨室構造は、霊廟に設けられた納骨室の開口を開閉する蓋石を兼ねた納骨室天板をスライドレール機構を介して摺動自在に設けたことを第１の特徴とする。また、 納骨室天板に凹部を形成し、この凹部内に嵌合可能なアルミニウム製の取付け枠を備えたスライドレール機構を装着したことを第２の特徴とする。さらに、スライドレール機構は、墓碑定盤側に固着される固定レールと納骨室天板側に固着される可動レールの少なくとも一対からなることを第３の特徴とする。
【考案の効果】
【００１０】
本考案によれば、下記の優れた効果がある。
（１）納骨入口を閉塞する石材にスライドレール機構による摺動手段を設けたので、閉塞石材の移動の労力を軽減することができる。
（２）閉塞石材の移動を安全かつ容易に行うことができるので、納骨室内の換気や清掃等を適時行うことができ、納骨状態の保全が簡便になる。
【図面の簡単な説明】
【００１１】
【図１】本考案に係る霊廟の一実施例を示す斜視図である。
【図２】本考案に係る霊廟の一実施例を示す正面図である。
【図３】本考案に係る霊廟の一実施例を示す分解斜視図である。
【図４】スライドレール機構を示す要部断面図である。
【図５】スライドレール機構を示す一部断面側面図である。
【考案を実施するための形態】
【００１２】
以下、本考案の実施の形態を図面に示す実施例に基づいて説明する。
【実施例】
【００１３】
図１乃至図５は、本考案の一実施例を示すものである。
図において、１は墓碑、２は納骨室天盤、３は天板、４はアルミニウム製のスライド枠、５は納骨室を構成する四つ組枠であり、上下に重層されて位置している。四つ組枠５は正面枠板５a、左側面枠板５ｂ、右側面枠板５ｃ及び背面枠板５ｄからなり、同様に正面枠６a、左側面枠６ｂ、右側面枠６ｃ及び背面枠６ｄからなる基礎枠６上に積層して、連続する内部空間が形成されて、この空間が納骨室５となり霊廟内への納骨がなされる。
【００１４】
墓碑１が載置される墓碑定盤２の前面は、納骨のための略コ字状に切り取られた矩形の入り口を有し、納骨室５の内部空間へと連通している。墓碑定盤２下部左右側面には納骨室天板３を載置するサドル２ｂが設けられている。このサドル２ｂにはスライドレール機構７がアルミニウム製のスライドレール取付枠４を介して納骨室天板３が載置されるが、このスライドレール機構７は、固定側レール７aと、この固定側レール７aに沿って所定範囲内にて平行スライド移動が可能な可動側レール7bとが一対にされた構成で、本考案では墓碑定盤２のサドル２ｂ上に固着して配置されるガイド石８側面に固定側レール７aが、納骨室天板３に可動側レール７ｂが所定の固着部材を介して取り付けられている。
【００１５】
この固着部材は図４及び図５に示すように、スライドレール取付枠４内方に略コ字形板を折曲してガイド石柱８に被冠して一体的に設けられ、納骨室天板３の裏面凹部３ｂに嵌合されたスライドレール機構７を介して納骨室天板３が墓碑定盤２の矩形開口部を閉蓋するように載置固定される。
【００１６】
以上の構成から、図１及び図２に示すように、墓碑天盤２の両袖に挟まれた状態で、納骨室天板３を取手３aを掴んで前方又は後方へ押圧又は牽引することによって前後に移動させることができる。そして、牽引移動によって納骨室５の入り口は露出して、ここから納骨作業を行うことができる。
【００１７】
すなわち、霊廟に設けられた納骨室５の開口を開閉する蓋石板である納骨室天板３をスライドレール機構７を介して前後に摺動自在に設けることで、閉塞石材の移動を安全かつ容易に行うことができる。このため、納骨室５内の換気や清掃等を適時行うことができる。
【００１８】
尚、図中、１a及び２aは、とくに図示しないが、墓碑１の頂部に載置される太陽電池パネルから納骨室５に取り付けられる換気用ファンへの送電コードの配線用溝である。
【符号の説明】
【００１９】
１    墓碑
１ａ  配線用溝
２    墓碑定盤
２ａ  配線用溝
２ｂ  サドル
３    納骨室天板
３ａ  取手
４    スライドレール取付枠（アルミニウム製）
５    納骨室（四つ組枠）
５ａ  正面枠板
５ｂ  左側面枠板
５ｃ  右側面枠板
５ｄ  背面枠板
６    基礎枠
６ａ  正面枠
６ｂ  左側面枠
６ｃ  右側面枠
６ｄ  背面枠
７    スライドレール機構
７a   固定側レール
７ｂ  可動側レール
８    ガイド石柱
【図１】
0003225121.tif 000003
【図２】
0003225121.tif 000004
【図３】
0003225121.tif 000005
【図４】
0003225121.tif 000006
【図５】
0003225121.tif 000007